(57)【要約】      （修正有）【課題】人の手足の爪を削る爪削り器であって、爪を安全に削ることができると共に、摺動することにより手指の運動を行わせ、合わせて掌全体で把持運動を行わせる健康具を提供する。【解決手段】削り部２は、金属等の硬質材料であり、その中央部には、円形等の開口が設けてあり、該開口の内周縁部は爪削り刃先として構成され、人の手足の爪を前記爪削り刃先に接触させ、摺動することにより、爪を安全に削ることができると共に、摺動することにより手指の運動を行わせ、合わせて掌全体で把持運動を行わせる。【選択図】図４
2005253946.tif 000002
【特許請求の範囲】
【請求項１】
人の手足の爪を削る爪削り器であって、削り部は金属、陶器、セラミックス、又は合成樹脂等の硬質材料であり、その中央部には、円形、長円形、楕円形又は矩形等の多角形である開口が設けてあり、該開口の内周縁部は爪削り刃先として構成され、人の手足の爪を、前記爪削り刃先に接触させ、摺動することにより、爪を安全に削ることができる爪削り器。
【請求項２】
前記削り部は、本体部に取付けられ、該本体部は、手指で把持され、人の手足の爪を前記爪削り刃先に接触させ、摺動することにより手指の運動を行わせ、合わせて掌全体で把持運動を行わせる健康具であることを特徴とする請求項１記載の爪削り器。
【請求項３】
前記本体部の表面には、前記削り部に加えて、爪ヤスリ部を少なくとも一箇所以上設けたことを特徴とする請求項２記載の爪削り器。
【発明の詳細な説明】
【技術分野】
【０００１】  本発明は、人間の手足の爪を安全に削るための爪削り器に関するものである。
【背景技術】
【０００２】  従来の爪切り器は手指の爪を挟んで切るため、手指又は身体の不自由な人や健常人が使用するときに、間違って、皮膚まで挟んで切ってしまう危険性があった。【０００３】  また安全性のある爪ヤスリ等の爪削り器は削り効果が少なく十分な能力を保有していなかった。
【発明の開示】
【発明が解決しようとする課題】
【０００４】  本発明は、健常人が使用しても安全で、更に手指や身体の不自由な人も皮膚を傷つけることなく爪を削れ、かつ十分な能力のある爪削り器を提供するものである。加えて手指の不自由な人や老人等が手指のリハビリ運動をするための健康具としての役割をもたせた物である。
【課題を解決するための手段】
【０００５】  人の手足の爪を削る爪削り器であって、削り部は、金属、陶器、セラミックス、又は合成樹脂等の硬質材質であり、その中央部には、円形、長円形、楕円形又は矩形等の多角形である開口が設けてあり、該開口の内周縁部は爪削り刃先として構成され、人の手足の爪を、前記爪削り刃先に接触させ、摺動することにより、爪を安全に削ることができる爪削り器を提供する。【０００６】  そして、前記削り部は、本体部に取付けられ、該本体部は、手指で把持され、人の手足の爪を前記爪削り刃先に接触させ、摺動することにより手指の運動を行わせ、合わせて掌全体で把持運動を行わせる健康具を兼ねた爪削り器である。【０００７】  更に、前記本体部の表面には、前記削り部に加えて、爪ヤスリ部を少なくとも一箇所以上設けたことを特徴とする爪削り器を提供する。
【発明の効果】
【０００８】  本発明は次の多くの効果を有するもので、
（１）従来の爪切り器のように、刃先で爪を挟まないため手指の皮膚を、間違って切ることがない。【０００９】（２）手指に力のない人や、目や身体の不自由な人も安全に爪を切ることができる。【００１０】（３）本体部を掌全体で把持することにより、手指の不自由な人や老人等が手指のリハビリ運動をするための健康具としての役割をもたせたことができる。
【発明を実施するための最良の形態】
【００１１】  本発明は、発明の効果に前述した如く、従来の爪切り器の危険性を排除し、加えて手指や身体の不自由な人、目の不自由な人も使用でき、十分な削り効果を有する画期的な爪削り器を提供するものである。【００１２】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。以下図面に基づいて詳細を説明する。
【実施例】
【００１３】  図１から図４は、本発明の実施形態を示すもので、図５は、本発明の爪削り器１の使用状態を示すものである。
図１は本発明の削り部の一つの実施例の外観斜視図であり、第２図はその断面図である。【００１４】  本発明の爪削り器１の削り部２の中央部には、円形、長円形、楕円形又は矩形等の多角形である開口３が設けてあり、該開口３の内周縁部４は爪削り刃先５として構成されている。
人の手足の爪を、前記爪削り刃先５に接触させ、左右に摺動することにより、爪を安全に削ることができる。
前記爪削り刃先５及び削り部２の材質としては、金属、陶器、セラミックス、又は合成樹脂等の硬質材質であり、一般的には、鋼、ステンレス鋼が使用される。【００１５】  削り部２の実施例としては、厚さ２ｍｍ、外形１０〜２０ｍｍφの鋼板の中央部に３〜６ｍｍφの爪削り刃先５を形成する。
爪削り刃先５の刃先角θは、１５〜１２０度に形成されており、人の手足の爪を、前記爪削り刃先５に接触させ、左右に摺動することにより、爪を安全に削ることができる。【００１６】  一方、本体部６は、手指で把持され、人の手足の爪を前記爪削り刃先５に接触させ、摺動することにより手指の運動を行わせ、合わせて掌全体で把持運動を行わせる健康具を兼ねている。【００１７】  本体部６の材質は、通常、木材、合成樹脂、ゴム、又は海綿体等が用いられる。
更に、前記本体部６の表面には、前記削り部２に加えて、爪ヤスリ部７を少なくとも一箇所以上設けることができる。【００１８】  該爪ヤスリ部７は、前記削り部２で削った後、爪の縁部を滑らかにするために用いるもので、それにより爪で、引っかき傷等を作ることを防ぐことができるためのものである。【００１９】  前記爪ヤスリ部７は、その表面に、例えば１００番〜２００番相当のヤスリ加工を行い、手指の爪を滑らかに仕上げるように構成されている。【００２０】  図４に示す実施例においては、本体部６の表面の上面に５ｍｍφの爪削り刃先５を形成し、左後方側面に３ｍｍφの爪削り刃先５を形成し、右前方側面に、１００番相当のヤスリ加工を行った爪ヤスリ部７と、底面に２００番相当のヤスリ加工を行った爪ヤスリ部７とを設けた爪削り器１の実施例を示している。
【産業上の利用可能性】
【００２１】  本発明の活用例としては、以上説明したように、健常人が使用しても安全で、更に手指の不自由な人も皮膚を傷つけることなく爪を削れ、かつ十分な能力のある爪削り器を提供するものである。加えて手指の不自由な人や老人等が手指のリハビリ運動をするための健康具としての役割をもたせた物であり、介護支援器具として、介護産業に貢献する物である。
【図面の簡単な説明】
【００２２】
【図１】本発明の削り部２の一つの実施例の外観斜視図である。
【図２】図１の実施例の断面図である。
【図３】本発明の爪ヤスリ部７の実施例の外観斜視図である。
【図４】本発明の爪削り器１の実施例の外観斜視図である。
【図５】本発明の爪削り器１の使用状態を示す外観斜視図である。
【符号の説明】
【００２３】１    爪削り器
２    削り部
３    開口
４    内周縁部
５    爪削り刃先
６    本体部
７    ヤスリ部
【図１】
2005253946.tif 000003
【図２】
2005253946.tif 000004
【図３】
2005253946.tif 000005
【図４】
2005253946.tif 000006
【図５】
2005253946.tif 000007